(57)【特許請求の範囲】
【請求項１】
可動屋根壁構造体を備えた開閉式建築物において前記可動屋根壁構造体を支持する台車を走行するために設けた上側に開口部を有する溝における前記開口部を開閉する装置であって、
前記溝の内部で往復移動する台車と、前記溝の開口部の一側縁に沿った切れ目において開かれて起立可能で且つ自重で倒れて前記溝の開口部を閉じることが可能な可撓性を有する蓋部材と、前記台車に搭載され前記台車の往移動時に前記蓋部材を前記溝の開口部を閉じる位置から開いて起す蓋部材起こし手段と、前記台車に搭載され前記台車の往移動時に前記起こし手段によって起された前記蓋部材を起こし状態に支持する蓋部材支持手段とを具備し、前記台車の復移動時に前記支持手段により支持された前記可撓性蓋部材が自重で前記起こし手段を経由して前記溝を閉じる位置に倒れることを特徴とする台車移動用溝の開口部開閉装置。
【請求項２】
前記蓋部材起こし手段は、複数のローラを、前記台車の往移動側部から復移動側部にかけて水平状態から前記開口部の他方側縁側の９０度以下の起立した状態に向けて徐々に起立していくようにねじれた状態で配列して設けたものであることを特徴とする請求項１に記載の台車移動用溝の開口部開閉装置。
【請求項３】
前記蓋部材起こし手段は、複数の球支持座を、前記台車の往移動側部から復移動側部にかけて水平状態から前記開口部の他方側縁側の９０度以下の起立した状態に向けて徐々に起立していくようにねじれた状態で配列して設けたものであることを特徴とする請求項１に記載の台車移動用溝の開口部開閉装置。
【請求項４】
前記蓋部材は、前記溝の開口部を閉じた時に下側となる面に短冊状をなす多数の補強板を溝長さ方向に沿って並べて取付けてあり、前記溝の開口部の両方側の縁部には、前記蓋部材が前記溝の開口部を閉じた時に前記補強板を支持する肩部が設けてあることを特徴とする請求項１に記載の台車移動用溝の開口部開閉装置。
【請求項５】
前記台車は前記可動屋根壁構造体における閉鎖時に接合側となる端部を支持し、前記溝は前記可動屋根壁構造体で仕切られる外側領域と内側領域とが同じ高さとなるフィールドにおいて前記可動屋根壁構造体の可動範囲にその開閉移動方向に沿って設けられ、且つ前記蓋部材は少なくとも前記可動屋根壁構造体で仕切られる内側領域に敷設された可撓性床材の一部分からなり、前記蓋部材の下面は前記溝を閉じた時にめくれ上がり防止用のファスナーを有していることを特徴とする請求項１に記載の台車移動用溝の開口部開閉装置。
【発明の詳細な説明】
【０００１】
【発明の属する技術分野】
本発明は可動屋根壁構造体を備えた開閉式建築物において、可動屋根壁構造体を支持する台車を移動させる溝の開口部を開閉する台車移動用溝の開口部開閉装置に関する。
【０００２】
【従来の技術】
従来、ボール、軟式野球、その他各種スボーツやイベントを開催する大きな内部空間を形作る可動屋根壁構造体を備えた開閉式建築物において、建築物の基礎に建築物の長手方向に平行にレールを配設し、この各レールに夫々台車を移動自在に設け、これら各台車で可動屋根壁構造体を支持したものがある。この場合、人が登り降りできないように基礎はかなり高く形成されており、またレール上に人が立ち入らないように適宜に柵が設けられていて安全対策が施されている。
【０００３】
ところで、開閉式建築物において可動屋根壁構造体が開放方向に移動して形成される開放部には、地面レベルにおいて台車が移動する溝が設けられることがある。この開閉式建築物の開放部は人が通行して開閉式建築物の内部に出入りするので、安全を図るために開放部に設けられる溝の開口部を蓋部材で塞いで人が溝に足を引っ掛けて倒れるなどの事故の発生を防止するようにしている。
【０００４】
従来、この開閉式建築物の開放部に設けられる溝の開放部を塞ぐ蓋部材は人手で取り扱っている。すなわち、可動屋根壁構造体を移動して建築物を開放した場合には人手によって蓋部材を溝の開口部に移動して塞ぎ、また可動屋根壁構造体を移動して建築物を閉塞する場合には人手により蓋部材を溝の開口部から外して片づけるようにしている。
【０００５】
【発明が解決しようとする課題】
開閉式建築物における人が出入りする開放部が小さい場合は、台車の移動用溝を人手によって蓋部材で塞ぎ、また可動屋根壁構造体を移動させて開閉式建築物を閉鎖した時には人手によって蓋部材を取り片付けても、人手による蓋部材の取り扱いもそれ程手間がかかるものではない。
【０００６】
ところが、スポーツやイベントを開催する広い内部空間を備えた開閉式建築物の場合において、アーチ形の可動屋根壁構造体やドーム形の可動屋根壁構造体を移動させて開閉式建築物を開閉させる場合には、台車移動用の溝が長大なものとなり、この溝を塞ぐ蓋部材も長大となるため人手により蓋部材を取り扱って溝の開放部を塞いだり、開けたりすることは膨大な作業量になり、また開閉式建築物の閉鎖時に溝から外した蓋部材を格納するために大きな格納スペースを確保することが必要になる。
【０００７】
本発明は前記事情に鑑みてなされたもので、可動屋根壁構造体を備えた開閉式建築物において可動屋根壁構造体を支持する台車を移動させる溝の開口部を、簡素な構成により蓋部材を用いて開閉することができ、且つ蓋部材を溝から外した際の格納の問題を解決した台車移動用溝の開口部開閉装置を提供することを目的とする。
【０００８】
【課題を解決するための手段】
請求項１の発明の台車移動用溝の開口部開閉装置は、可動屋根壁構造体を備えた開閉式建築物において前記可動屋根壁構造体を支持する台車を走行するために設けた上側に開口部を有する溝における前記開口部を開閉する装置であって、
前記溝の内部で往復移動する台車と、前記溝の開口部の一側縁に沿った切れ目において開かれて起立可能で且つ自重で倒れて前記溝の開口部を閉じることが可能な可撓性を有する蓋部材と、前記台車の往移動側部に搭載され前記台車の往移動時に前記蓋部材を前記溝の開口部を閉じる位置から開いて起す蓋部材起こし手段と、前記台車に搭載され前記台車の往移動時に前記前記起こし手段によって起された前記蓋部材を起こし状態に支持する蓋部材支持手段とを具備し、前記台車の復移動時に前記支持手段により支持された前記可撓性蓋部材が自重で前記起こし手段を経由して前記溝を閉じる位置に倒れることを特徴とする。
【０００９】
請求項２の発明は、請求項１に記載の台車移動用溝の開口部開閉装置において、前記蓋部材起こし手段は、複数のローラを、前記台車の往移動側部から復移動側部にかけて水平状態から前記開口部の他方側縁側の９０度以下の起立した状態に向けて徐々に起立していくようにねじれた状態で配列して設けたものであることを特徴とする。
【００１０】
請求項３の発明は、請求項１に記載の台車移動用溝の開口部開閉装置において、前記蓋部材起こし手段は、複数の球支持座を、前記台車の往移動側部から復移動側部にかけて水平状態から前記開口部の他方側縁側の９０度以下の起立した状態に向けて徐々に起立していくようにねじれた状態で配列して設けたものであることを特徴とする。
【００１１】
請求項４の発明は、請求項１に記載の台車移動用溝の開口部開閉装置において、前記蓋部材は、前記溝の開口部を閉じた時に下側となる面に短冊状をなす多数の補強板を溝長さ方向に沿って並べて取付けてあり、前記溝の開口部の両方側の縁部には、前記蓋部材が前記溝の開口部を閉じた時に前記補強板を支持する肩部が設けてあることを特徴とする。
【００１２】
請求項５の発明は、請求項１に記載の台車移動用溝の開口部開閉装置において、前記台車は前記可動屋根壁構造体における閉鎖時に接合側となる端部を支持し、前記溝は前記溝は前記可動屋根壁構造体で仕切られる外側領域と内側領域とが同じ高さとなるフィールドにおいて前記可動屋根壁構造体の可動範囲にその開閉移動方向に沿って設けられ、且つ前記蓋部材は少なくとも前記可動屋根壁構造体で仕切られる内側領域に敷設された可撓性床材の一部分からなり、前記蓋部材の下面は前記溝を閉じた時にめくれ上がり防止用のファスナーを有していることを特徴とする。
【００１３】
【発明の実施の形態】
本発明にかかわる第１の実施の形態について図１ないし図４を参照して説明する。
【００１４】
この実施の形態は、一対のアーチ形可動屋根壁構造体を直線移動させて開閉する開閉式建築物を対象にし、且つ蓋起こし手段にローラを採用している。図１ないし図４は台車移動用溝の開口部開閉装置を示すもので、図１は図３のＺ―Ｚ線に沿う断面図、図２ば図３のＹ―Ｙ線に沿う断面図，図３は可動屋根壁構造体が閉鎖位置にある開閉式建築物を示す平面図、図４は可動屋根壁構造体が開放位置にある開閉式建築物を示す平面図である。
【００１５】
図中３０は開閉式建築物６を設置する地面レベルに可動屋根壁構造体６Ａ、６Ｂの大きさに応じて所定間隔を存して可動屋根壁構造体６Ａ、６Ｂの開閉移動方向に沿って設けられた一対の溝で、この一対の溝３０は上側に開口部３１を、下側に底部３２を夫々有している。
【００１６】
本発明の台車移動用溝の開口部開閉装置１は次のように構成されている。すなわち、可動屋根壁構造体６Ａ、６Ｂを支持し且つ前記の溝３０の内部に往復移動可能に設けられた台車１０と、この台車１０の往方向（可動屋根壁構造体６Ａ、６Ｂを閉鎖する方向Ｆ１に移動して蓋部材４１を立てて溝３０を開放する方向、図１において矢印Ｅ１で示す。）ヘ移動する時に溝３０の開口部３１の一側縁に沿った切れ目４２において開かれて起こされ、且つ台車１０の復方向（可動屋根壁構造体６Ａ、６Ｂを開放する方向Ｆ２に移動して蓋部材４１を倒して溝３０を塞ぐ方向、図１において矢印Ｅ２で示す。）ヘ移動する時に自重で閉じて溝３０の開口部３１を塞ぐ可撓性を有する蓋部材４１と、台車１０の往移動向側部に搭載されたローラ式の蓋部材起こし手段２０と、この蓋部材起こし手段２０に引き続き台車１０における復移動方向側部に搭載された蓋部材支持手段２５とから構成されている。
【００１７】
そして、台車１０の往移動時に蓋部材４１を蓋部材起こし手段２０によって起こし、さらに蓋部材支持手段２５によって蓋部材４１を起こした状態に支持して溝３０を開放状態に維持し、台車１０の復移動時に蓋部材４１を蓋部材支持手段２５によって支持された状態から蓋部材起こし手段２０を経由して自重で倒れて溝３０の開口部３１を塞いで行く。可撓性を有する蓋部材４１は、例えば開閉式建築物の内部に敷設された人工芝などを形成する可撓性を有するシート状の床材４０の一部分を利用して構成されている。
【００１８】
可動屋根壁構造体６Ａ、６Ｂを支持する台車１０は、台車本体１１に、溝３０の底部３２に溝長さ方向に沿って敷設されたレールＲ１に載置されて転動移動する駆動輸Ｗ１および従動輸Ｗ２を設け、且つ溝３０の側壁３３に敷設したレ一ルＲ２に転動移動する側方向荷重支持輪Ｗ３を設けている。駆動輪Ｗ１はトロリー式給電手段などにより給電される可逆転電動機Ｍによって回転駆動される。
【００１９】
台車１０における往移動側部に搭載された蓋部材起こし手段２０は、複数のローラ２２を架台２１に、台車１０の往移動側部から復移動側部にかけて溝３０の底部３２側の水平状態から開口部３１の他側縁側に９０度以下の起立した状態に向けて徐々に起立していくようにねじれた状態で配列して設けたもので、可撓性蓋部材４１に対して局部的に大きな力をかけずにスムースに水平状態からすくい上げて９０度以下に、例えば約７５度に起立した状態に起こして行くように構成されている。蓋部材支持手段２５は、台車１０の蓋部材起こし手段２０によって起こされた蓋部材４１を起こされた状態に保持しておくもので、約７５度に傾斜状態で台車１０から他の台車（例えば駆動側台車から従動側台車）ヘわたりフレーム２６に配列された複数のローラ２７から構成されでいる。
【００２０】
蓋部材４１は、この実施の形態では開閉式建築物の内部と外部における同一の高さのフィールド上に敷かれた人工芝などの可撓な床材４０のうちの台車移動用溝３０にかぶざる部分である。すなわち、蓋部材は少なくとも可動屋根壁構造体６Ａ、６Ｂで仕切られる内側領域に敷設された可撓性を有する床材４０の一部分からなるものである。
【００２１】
蓋部材４１において溝３０を塞いだ時に下面となる部分となる面に短冊状をなす約４ｍｍ厚の鉄板などからなる多数の補強板４５が溝長さ方向に小さい間隔を存して並べて貼られており、これにより蓋部材４１は支えが無ければ自重で倒れて溝３０の開口部３１を塞いで行くようになっている。これに対応して溝３０の開口部３１において両側の側縁には、補強板４５を支持する肩部３５が溝長さ方向にわたって設けられている。補強板４５によって蓋部材４１の荷重支持能力が高められ、補強板４５を短冊状に小さい間隔を介して配設することにより蓋部材４１の開閉時の可撓性を維持している。蓋部材４１の下面において切れ目４２の一側縁にはめくれ上がり防止用のベルベットファスナなどのファスナＴが貼られている。このファスナＴは、蓋部材４１が倒れて溝３０を塞ぐ時に例えば溝３０の開口部３１に設けた肩部３５に設ける図示しない部材と組み合せて蓋部材４１を結着させてめくり上がりを阻止できる。
【００２２】
この第１の実施の形態では、図３および図４に示すように互いに接近して閉鎖する方向Ｆ１および互いに離間して開放する方向Ｆ２に直線移動するアーチ形をなす左右一対の可動屋根壁構造体６Ａ、６Ｂと、左右一対の可動屋根壁構造体６Ａ、６Ｂの外側において開放時にこれらと重なる一対の固定屋根壁構造体６Ｃを備えた開閉式建築物を対象としている。図３に示すように左右一対の可動屋根壁構造体６Ａ、６Ｂを閉鎖方向Ｆ１に移動して建築物を閉鎖すると、建築物内部にプールなどの種々の設備を設置したり、種々の催し物を行なうことができる大きな内部空間を形成し、荒天時などの気候や季節に応じて閉鎖する。図４に示すように左右一対の可動屋根壁構造体６Ａ、６Ｂを開放方向Ｆ２に移動して建築物を開放すると、例えば屋内のプールから自然の海辺に出られたり、テープルの配置されたテラスに出られるなどの構成を設定することができる。
【００２３】
この実施の形態の開閉装置１は、左右一対の可動屋根壁構造体６Ａ、６Ｂ左右両側部において図３に示すように閉鎖した時にその接合側端部（内側端部）に設けて台車１０で支持している。左右一対の可動屋根壁構造体６Ａ、６Ｂの左右両側部において図３に示すように閉鎖した時にその外側端部に、起こし手段２０を搭載しない開閉装置１Ａを設けて台車１０で支持する。開閉装置１Ａは起こし手段２０を搭載しない以外は開閉装置１と同じである。そして、溝３０は可動屋根壁構造体６Ａ、６Ｂで仕切られる外側領域と内側領域とが同じ高さとなるフィールドにおいて可動屋根壁構造体６Ａ、６Ｂの可動範囲にその直線である開閉移動方向に沿って設けられる。
【００２４】
従って、可動屋根壁構造体６Ａ、６Ｂを開放位置から閉鎖方向Ｆ１へ溝３０に沿って移動させると、開閉装置１、１Ａの台車１０が溝３０の内部を移動する。この場合、台車１０の往移動側部に設けた起こし手段２０が台車１０とともに移動して溝３０の開口部３１を塞いでいる蓋部材４１を溝３０の他側縁側へ順次起して行き溝３０を開放する。引き続いて台車１０の複移動側部に設けた支持手段２５が台車１０とともに移動して、起こし手段２０により起された蓋部材４１を起こした状態に支持して溝３０の開放状態を維持する。複数のローラ２２からなる蓋部材起こし手段２０により可撓性蓋部材４０に対して局部的に大きな力を掛けずにスムースに水平状態から９０度以下に起立した状態に起こして行くことができる。これにより可動屋根壁構造体６Ａ、６Ｂの移動に伴って人手によらずに蓋部材４１を容易且つ確実に開放させることができ、しかも溝３０を開放している時に蓋部材４１を溝３０の近傍に小さいスペースで置くことができ特別に大きな格納スペースを用意する必要がない。
【００２５】
可動屋根壁構造体６Ａ、６Ｂを閉鎖位置から開放方向Ｆ２へ溝３０に沿って移動させると、開閉装置１、１Ａの台車１０が溝３０の内部を移動する。この場合、台車１０に設けた支持手段２５および起こし手段２０が台車１０とともに移動して、支持手段２５により起こした状態に支持されていた蓋部材４１は支持手段２５による支持がなくなり自重により起こし手段２０を経由して倒れて行き溝３０の開口部３１を塞いで行く。これにより可動屋根壁構造体６Ａ、６Ｂの移動に伴って人手によらずに蓋部材４０で容易且つ確実に溝３０を塞ぐことができる。溝３０を蓋部材４０で塞ぐと建築物の内側と外側のフィールドがほぼ同一レベル人王芝などの可撓性床材４０で覆われて多くの人々が行き来しても安全が確保される。なお、両外側の一対の固定屋根壁構造体６Ｃに沿った台車溝に対しては柵Ｆを設けて人の立入を防止している。
【００２６】
本発明における第２の実施の形態について図５ないし図７を参照して説明する。この実施の形態は、一対のドーム形可動屋根壁構造体を円弧軌跡に沿って移動させて開閉する開閉式建築物を対象にし、且つ蓋起こし手段に球支持座を採用している。図５ないし図７は台車移動用溝の開口部開閉装置を示すもので、図５は図６のＸ―Ｘ線に沿う断面図、図６は可動屋根壁構造体が閉鎖位置にある開閉式建築物を示す平面図、図７は可動屋根壁構造体が開放位置にある開閉式建築物を示す平面図である。図５ないし図７において図１ないし図４と同じ部分は同じ符合を付して示している。
【００２７】
台車移動用溝３０の開口部を開閉する開閉装置２は、蓋部材起こし手段２０Ａを除いて第１の実施の形態における開閉装置１と同じ構造となっている。異なる点ついて説明すると、この蓋部材起こし手段２０Ａは、複数の球支持座２３を架台２１に、台車１０の往移動側部から復移動側部にかけて開口部３０の底部３２側の水平状態から開口部３１の他方側縁側の９０度以下の起立した状態に向けて徐々に起立していくようにねじれた状態で配列して設けたものである。この球支持座２３からなる蓋部材起こし手段２０Ａは、可撓性の蓋部材４１に対して局部的に大きな力を掛けずにスムースに水平状態から９０度以下に起立した状態に起こして行くことができ、また蓋部材４１をめくり上げて行く過程でその不確定で複雑な動きに対して柔軟に追従し対応できる点で優れている。蓋部材４１における下面には短冊形をなす多数のハニカム構造をなすプラスチックからなる補強板４５をが小さい間隔を介して並べて配置されて貼り付けられている。
【００２８】
この第２の実施の形態では、図６および図７に示すように互いに接近して閉鎖する方向Ｆ１および互いに離間して開放する方向Ｆ２に旋回移動するドーム形をなす左右一対の可動屋根壁構造体７Ａ、７Ｂと、左右一対の可動屋根壁構造体７Ａ、７Ｂの外側において開放時にこれらと重なる一対の固定屋根壁構造体７Ｃを備えた開閉式建築物を対象としている。図７に示すように左右一対の可動屋根壁構造体６Ａ、６Ｂを開放方向Ｆ２に移動して建築物を開放すると、建築物内部を例えば屋内のンフトボールや軟式野球のグランドを硬式野球のグランドに拡張することができる。また、荒天時には図６に示すように左右一対の可動屋根壁構造体７Ａ、７Ｂを閉鎖方向Ｆ１へ移動して建築物を閉鎖する。可動屋根壁構造体６Ａ、６Ｂを開放した状態では溝３０の開口部３１は蓋部材４１で塞がれて建築物の内外側におけるフィールドが同じ高さのレベルで人工芝等の可撓な床材で覆われてスポーツを行う上でなんら支障が無くなる。
【００２９】
なお、蓋部材は人工芝の一部分に限らずに色々な素材や可撓構造により構成することができる。また、ファスナ−はベルベットファスナ以外に各種の分離可能な結着手段を使用できる。台車移動用溝３０の開口部開閉装置１、２は、左右一対の可動屋根壁構造体６Ａ、６Ｂ、７Ａ、７Ｂに限定されず、単一の可動屋根壁構造体にも設けることができる。
【００３０】
なお、本発明は前述した実施の形態に限定されずに。種々変形して実施ことができる。
【００３１】
【発明の効果】
本発明の台車移動用溝の開口部開閉装置によれば、台車移動用溝の開口部を塞いでいる可撓性蓋部材は、台車の往移動時にこれに搭載した蓋部材起こし手段によって溝の開口部の側縁に沿った切れ目において簡素な構成により自動的に容易且つ確実に開かれて起こされ、さらに続いて台車に搭載した支持手段によって起こされた状態に保持され、また台車の復移動時に支持手段によって起こされた状態に保持されていた可撓性蓋部材は支えが無くなって起こし手段を経て自重により倒れて簡素な構成により自動的に容易に且つ確実に台車移動用溝の開口部を塞いで行くことができる。しかも、溝を開放している時に蓋部材を溝の近傍に小さいスペースで置くことができ特別に大きな格納スペースを用意する必要がない。
【００３２】
本発明によれば、複数のローラからなる蓋部材起こし手段により可撓性蓋部材に対して局部的に大きな力を掛けずにスムースに水平状態から９０度以下に起立した状態に起こして行くことができる。
【００３３】
本発明によれば、複数の球支持座からなる蓋部材起こし手段により可撓性蓋部材に対して局部的に大きな力を掛けずにスムースに水平状態から９０度以下に起立した状態に起こして行くことができる。
【００３４】
また、本発明によれば、補強板によって蓋部材の荷重支持能力を高めるとともにに、補強板を短冊状に小さい間隔を介して配設することにより蓋部材の開閉時の可撓性を維持することができる。
【００３５】
さらに、本発明によれば、可動屋根壁構造体を台車により支持することで可動屋根壁構造体の開閉部分の台車移動溝は台車の往復移動によって自動的に蓋部材を開閉することができ、溝閉塞時にはファスナーによって可撓性蓋部材のめくれ上がりを防上できて人の安全な出入りを確保できるとともに、さらに溝に対して可動屋根壁構造体の内側と外側とに同じレベルのフィールドを形成して広い面積を必要とするスポーツにも使用できる。
【図面の簡単な説明】
【図１】本発明の第１の実施の形態における溝開口部開閉装置を示す断面図。
【図２】同実施の形態における溝開口部開閉装置を示す断面図。
【図３】同実施の形態における溝開口部開閉装置を採用した開閉式建築物を示す閉鎖状態の平面図。
【図４】同実施の形態における溝開口部開閉装置を採用した開閉式建築物を示す開放状態の平面図。
【図５】本発明の第２の実施の形態における溝開口部開閉装置を示す断面図。
【図６】同実施の形態における溝開口部開閉装置を採用した開閉式建築物を示す閉鎖状態の平面図。
【図７】同実施の形態における溝開口部開閉装置を採用した開閉式建築物を示す開放状態の平面図。
【符号の説明】
１…開閉装置、
２…開閉装置、
６Ａ…可動屋根壁構造体、
６Ｂ…可動屋根壁構造体、
７Ａ…可動屋根壁構造体、
７Ｂ…可動屋根壁構造体、
１０…台車、
２０…起こし手段、
２２…ローラ、
２３…球支持座、
２５…支持手段、
３０…溝、
３１…開口部、
４０…床部材、
４１…蓋部材、
４５…補強板、
Ｔ…ファスナ。
【図１】
0003917781.tif 000002
【図２】
0003917781.tif 000003
【図３】
0003917781.tif 000004
【図４】
0003917781.tif 000005
【図５】
0003917781.tif 000006
【図６】
0003917781.tif 000007
【図７】
0003917781.tif 000008